(57)【特許請求の範囲】
【請求項１】
工事現場にパイプ材などを用いて仮設された足場に、外周縁にハトメを有する矩形の養生シートを張設するために当該足場の縦地パイプ材の間に架設されるテンションレールが、その両端部に、前記パイプ材に結合されるクランプ部を有すると共に、当該テンションレールの両端部の間においてスライド自在に設けたランナ部材の前面側に前記シートのハトメを掛止して支持する上向きフックと下向きフックを突出させて形成されており、このように形成されたテンションレールを、前記足場の縦地パイプ材の少なくとも最上位部と最下位部に前記クランプ部において架設すると共に、架設した前記テンションレールが備えた上向きと下向きのフックに前記養生シートの上端辺と下端辺のハトメを夫々に掛止し、前記クランプ部の縦地パイプ材上での位置を調節することにより、前記シートの張り具合を調整する一方、ランナ部材を前記レール上でスライドさせることにより、前記養生シートを縦地パイプ材の間で開閉できるようにしたことを特徴とする足場養生シートの開閉・緊張装置。
【請求項２】
請求項1のテンションレールが上部と下部に架設された２本の縦地パイプ材の高さ方向の中間部に請求項１のテンションレールを中間テンションレールとして架設し、該中間テンションレールより上方に設けられたシート下端辺のハトメを当該中間テンションレールの下向きフックに掛止すると共に、当該中間テンションレールより下方に設けられたシートの上端辺のハトメを上向きフックに掛止することにより、上下方向で隣接する養生シートの対向する上、下端辺を支持するようにした請求項１に記載の開閉・緊張装置。
【請求項３】
足場の縦地パイプ材の下部に設けたテンションレールの下方に、両端に前記クランプ部と同様のクランプ部を設けた固定レールをそのクランプ部において架設し、前記養生シートの下辺側を前記固定レールの下面側を通してターンし前記下部のテンションレールに向け、当該前記テンションレールの上向きフックに当該シートの下辺のハトメを掛止させ、少なくとも前記テンションレール又は固定レールを前記パイプ材上での位置を変更し、前記養生シートの緊張度合を調整するようにした請求項１又は２に記載の開閉・緊張装置。
【請求項４】
縦地パイプ材に結合されるテンションレールのクランプ部は、前記パイプ材に対して前方位置又は後方位置を選択するため前記テンションレールの軸回りに180度回転させて前記パイプ材に結合させるようにした請求項１〜３のいずれかに記載の開閉・緊張装置。
【請求項５】
テンションレールの左右端部に設けたクランプ部は、左右のクランプ部の高さをレール部材の中心軸に関して上下対称な位置となるように設けた請求項４に記載の開閉・緊張装置。
【請求項６】
クランプ部は、縦地パイプ材を左右から抱く平面視略Ｕ状の挟持部材と、この挟持部材の先端部に設けた通し穴に打込んで前記挟持部材と一体に協働して前記パイプ材を囲んで緊結する楔部材とから成る請求項１〜５のいずれかに記載の開閉・緊張装置。
【請求項７】
ランナ部材に設ける側面視略Ｌ状のフックは、上位のフックが前記Ｌ状の縦片を下向きに、下位のフックが前記Ｌ状の縦片を上向きに設け、かつ、両フックの縦片を傾斜させて略平行な姿勢で設けることにより、夫々のフックへのハトメの掛止、離脱操作が互いに干渉しないようにした請求項１〜６のいずれかに記載の開閉・緊張装置。
【請求項８】
テンションレールは、その長さ方向両端部に養生シートの幅方向両端部のハトメを掛止する略Ｌ状のフックを、その縦片を下向きと上向きにし且つ当該縦片を傾斜させてほぼ平行な上下の固定フックを備えた請求項１〜７のいずれかに記載の開閉・緊張設置。
【請求項９】
足場の縦地パイプ材に架設する請求項１〜６に記載のテンションレールに代えて、前記縦地パイプ材の上部に架設するテンションレールにはランナ部材に上向きフックを設けたレール部材を上部ハンガーレールとして、前記パイプ材の下部に架設するテンションレールにはランナ部材に下向きフックを設けたレール部材を下部ハンガーレールとして、前記パイプ材の中間部に架設するテンションレールにはランナ部材に上向きフックと下向きフックを設けたレール部材を中間ハンガーレールとして、それぞれ前記足場の縦地パイプ材に架設するようにしたことを特徴とする足場養生シートの開閉・緊張装置。
【発明の詳細な説明】
【技術分野】
【０００１】
本発明は、ビル等の建設現場、解体現場、修復現場などの工事現場を外側から覆うように設置される工事用シート（養生シートともいう）を、単管などのパイプ材や各種足場資材によって形成された足場に、風などにあおられることなくピンと張って設置（緊張させて設置）することができると共に、設置した前記シートをいわばカーテンのように開閉することができるようにした足場養生シートの開閉、緊張システム、すなわち養生シートの開閉・緊張装置に関する。
【背景技術】
【０００２】
従来より、工事現場に仮設された外部足場に、工事用シートを設置した後に開閉できるようにした養生シートの設置技術は、特許文献１〜３などにより知られている。
【０００３】
しかし、特許文献１〜３などにより知られている工事用シートの開閉構造は、開閉のために巻上げ機などの動力源を不可欠としたり、開閉のために伝動機構を必要としたりして複雑な機構や構造となってしまうため、用済み後には分解，撤去される足場養生シートのような仮設の設備としては、適切といえない面が多々あった。
【０００４】
この点に鑑み、本願の発明者は、先に、動力源や滑車等の伝動機構を一切用いないきわめてシンプルな構造によって現場工事用の養生シートを仮設足場にピンと張って設ける（緊張設置する）ことができ、しかも緊張設置した前記養生シートを、縦方向のシート単位で謂わばカーテンのように自在に開閉させることを可能にした工事現場の足場養生シートの開閉・緊張装置を、特願２０１３−２４６１４４号として先に提案している。
【０００５】
先に提案した発明（以下、単に「先の発明」という）に係る足場養生シートの開閉・緊張装置は、工事現場にパイプ材などを用いて仮設された足場に、外周縁にハトメを有する養生シートを張設するために当該足場の縦地パイプ材の間に架設される２種類〜３種類のハンガーレールを用いて養生シートを張る装置であった。すなわち、前記ハンガーレールは、そのレールの両端部か又は該両端部より内側に、前記パイプ材に結合されるクランプ部を設けると共に、当該レールの中間部に、前面側に前記シートのハトメを掛止めて支持するための略Ｌ状のフックを突出させランナ部材を前記レールにスライド自在に跨設して形成されたものである。
そして前記ハンガーレールの使用態様は、養生シートを足場に張るためその足場の平行な２本の縦地パイプ材の最上位部と最下位部およびこれらの中間部位に、上部ハンガーレール、下部ハンガーレールおよび中間ハンガーレールを架設する態様である。すなわち、足場の上部、下部、中間部において張設する養生シートのハトメを掛止するために、各ハンガーレールに取り付けられているフックは、ハンガーレールごとに向きを違えて設けられている。つまり先の発明による養生シート張設装置は、足場の上部、下部、中間部においてフックの向きが異なる専用ハンガーレールを不可欠とする装置であった。
上記先の発明の装置では、縦地パイプ材に対し一例として下部ハンガーレールのクランプ部を緊張、弛緩させることによって当該レールの前記パイプ材上での上下方向での位置を調節して前記シートの緊張度合を調整できると共に、前記シートを弛緩させたとき、前記ランナ部材を前記レール上でスライドさせて前記シートを縦地パイプ材の間で開閉できるという画期的性能を発揮させることができた。
【０００６】
なお、先の発明の装置では、前記クランプ部に、単管等のパイプ材に用いられているジョー開閉式のボルト締結クランプのほか、縦地パイプ材を抱く略Ｕ状の挟持片とこの挟持片に結合して前記パイプ材を囲んで閉じるようになった楔式クランプを用いることができる。また、クランプ部としては、楔緊締式足場の手摺や横架材（いずれもパイプ材）の両端に設けられている楔部材を適用することもできた。この場合の足場支柱は前記楔部材と結合される楔受けを備えている。
【０００７】
また、先の発明においては、２本の縦地パイプ材の間に架設された上，下のハンガーレールに挟まれた当該縦地パイプ材の高さ方向の中間部に、その部より上方に設けられた養生シートの下端辺のハトメを掛止する上位のハンガーレールと、当該ハンガーレールより下方に設けられた前記養生シートの上端辺のハトメを掛止する下位のハンガーレールとを、上下で重ねて合体形態とし、この合体レールを中間ハンガーレールの例としている。
【０００８】
上記中間ハンガーレールにおいて、上位の中間ハンガーレールのフックは略Ｌ状の縦片が下向きであるが、下位の中間ハンガーレールのフックは略Ｌ状の縦片が上向きに設けている。上，下のフックは、両者の縦片を平行な姿勢で傾斜させ、夫々のフックへのハトメの挿脱において干渉を回避している。
【０００９】
先の発明では、前に足場における下部ハンガーレールの下方に、前記クランプ部と同じクランプ部を両端に設けた張り調節バーをこの足場の縦地パイプ材に架設し、当該バーに、養生シートの下辺側を通してターンさせ、下部ハンガーレールのフックに当該シートの下辺のハトメを掛止させる設置形態を採っている。
【００１０】
上記のように、先の発明では、パイプ材などで仮設された足場に、外周縁にハトメを有する養生シートを張設するため、当該足場の縦地パイプ材の間にクランプ部により架設した上部，下部のハンガーレールが備えたフックに養生シートのハトメを掛止し、前記クランプ部をパイプ材に対し緊締したり弛緩することにより、当該レールの縦地パイプ材上での上下位置を調節し前記養生シートの緊張度合を調整すると共に、当該養生シートが緩められたとき、前記レール上のランナ部材を左右にスライドさせて前記養生シートを縦地パイプ材の間で開閉できるようにしたことにより、特別な動力源や機構を用いることなく、足場養生シートを足場にピンとした緊張状態で設置することができると共に、このシートを緩めて謂わばカーテンのように足場に対して開閉自在に設置することができる点で、画期的なものであったが、未だ解決すべき課題もあることが判った。
【００１１】
すなわち、その問題点は、先の発明における足場の縦地パイプ材に架設される上部ハンガーレールと下部ハンガーレール、並びに、中間ハンガーレールの構成が、前記レールが具備するランナ部材に設けたハトメ係止用のフックの向きが相違していること等によって単一形態の部品ではないため、足場養生ネットの設置装置のための部品の種類や点数が多くなって、部品の運搬や管理が煩雑になるのみならず、設置にあたっては、使用する各ハンガーレールの適用位置を間違わないようにするために余計な気遣いを必要として、養生シートの効率的な設置作業を行い難いという点である。
【先行技術文献】
【特許文献】
【００１２】
【特許文献１】特許第３８６９８５２号公報
【特許文献２】特許第５２８５４７２号公報
【特許文献３】特聞２０１０−１５９６１７号公報
【発明の概要】
【発明が解決しようとする課題】
【００１３】
そこで本発明は、動力源や滑車等の伝動機構を一切使用しないシンプルな構成である点は、先の発明と共通するが、先の発明に比べて各ハンガーレールの形態を共通化して部品点数の種類を減らし、これによって部品コストの低減を図ると共に効率の良いシート設置作業を可能とする足場養生シートの開閉・緊締装置を提供することを課題とする。
【課題を解決するための手段】
【００１４】
上記課題を解決することを目的としてなされた発明足場養生シートの開閉・緊締装置の構成は、工事現場にパイプ材などを用いて仮設された足場に、外周縁にハトメを有する養生シートを張設するために当該足場の縦地パイプ材の間に架設されるテンションレールであって、このテンションレールは、その両端部に、前記パイプ材に結合されるクランプ部を有すると共に、当該レールの両端部の間において、スライド自在に跨設したランナ部材の前面側に前記シートのハトメを掛止して支持する上向きフックと下向きフックを突出させて形成されており、このテンションレールを、前記足場の縦地パイプ材の少なくとも最上位部と最下位部に前記クランプ部において架設すると共に、架設した前記テンションレールが備えた上向きと下向きのフックに前記養生シートのハトメを掛止し、前記クランプ部の縦地パイプ材上での位置を調節することにより、前記シートの張り具合を調整し、前記ランナ部材を前記レール上でスライドさせることにより、前記養生シートを縦地パイプ材の間で開閉できるようにしたことを特徴とするものである。
【００１５】
本発明において、上記クランプ部は、縦地パイプ材を抱く大略Ｕ状の挟持部材と、この挟持部材の開放側に設けた通し穴に打込んで前記挟持部材に結合される楔部材とから成り、前記挟持部材と楔部材を結合して前記パイプ材を環状に閉塞する楔式クランプを用いる。本発明では、前記クランプ部に、ジョー開閉式のボルト締結型クランプを用いることができる。
【００１６】
本発明において、前記クランプ部は、縦地パイプ材に対して前方位置又は後方位置を選択できるように形成されている。このためクランプ部はレール部材の両端に前記パイプ材の軸回りに180度回転できるように取付けてあり、現在の位置から縦地パイプ材の前方又は後方を選択するときは180度回転させて前記パイプ材に結合するようになっている。
また、前記クランプ部は、左右のクランプ部の高さをレール部材の中心軸に関して上下対称な位置となるように設けている。これは本発明のテンションバーを足場の左右方向に連続して架設するとき、隣り合うテンションバーのクランプ部が同じ縦地パイプ材の上で干渉しないようにするためである。
【発明の効果】
【００１７】
本発明は、テンションレールの左右側端に設けるクランプ部を、レールの中心軸に平行な軸上で回転可能に設ける一方、当該テンションレールの中間部にスライド自在に設けるランナ部材の前面に配置したハトメ掛けの略Ｌ状をなすフックを、その縦片の向きを上向きと下向きにしてダブルで設けているから、１本のテンションレールで、先の発明で必要であった上部ハンガーレールと下部ハンガーレール及び中間ハンガーレールのすべてを兼用でき、よって部品の種類を減じることができる。また足場の縦地パイプ材への架設では、足場の高さの上部、下部、中間部のいずれにおいても単一仕様のテンションレールでよいから作業効率よくシート張設ができる。
【図面の簡単な説明】
【００１８】
【図１】先の発明に係る装置によって設置された養生シートの設置態様の一例の斜視図。
【図２】図1の装置による養生シートの設置態様の別例の斜視図。
【図３】図1の装置の上部ハンガーレールの一例の斜視図。
【図４】図1の装置の下部ハンガーレールの一例の斜視図。
【図５】図1の装置のクランプ部の一例の斜視図。
【図６】図1の装置のランナ部材のフックと養生シートのハトメの係止状態を説明する斜視図。
【図７】固定レールの形態例と設置態様を説明するための斜視図。
【図８】本発明に係る養生シートの開閉・緊張装置に用いるテンションレール１００の一例の斜視図。
【図９】図８のテンションレール１００におけるクランプ部１０１，１０２の姿勢変化を説明するための部分拡大平面図で、（ａ）が一例での位置を、（ｂ）が（ａ）の位置を１８０度回転した状態を示す平面図。
【図１０】図８のテンションレール１００を、先の発明における上部ハンガーレール２（図１，図２を参照）に代えて縦地単管（縦地パイプ材ともいう）に架設した状態を説明するための斜視図。
【図１１】クランプ部１０１と縦地単管１との結合状態を説明するための平断面図。
【図１２】図１１のクランプ部１０１を縦地短管１にクランプさせる状態を説明するための斜視図。
【図１３】図９〜図１２のクランプ部１０１で使用されたストッパ片１０１ｈの別例を説明するための斜視図で、（ａ）はストッパ片１０１ｈの使用前の図、（ｂ）は使用時の図。
【図１４】図８の本発明テンションレール１００を先の発明の下部ハンガーレール４に代えて用いる例の斜視図。
【図１５】本発明のテンションレール１００を先の発明の中間ハンガーレール３に代えて用いている例の斜視図。
【図１６】縦地単管の下部において本発明テンションレール１００と固定レール１０３を併用する例の斜視図。
【図１７】図１６の固定レールを説明するための斜視図。
【図１８】本発明養生シート開閉・緊張装置により張設した入隅部を含む養生シートの斜視図。
【発明を実施するための形態】
【００１９】
次に本発明の実施の形態例の説明に先立ち、先の発明に係る養生シートの張設装置とその使用形態例について図１〜図７を参照して説明する。
図１〜図４において、１は、工事現場を囲むように単管などのパイプ材で構築されて設置された足場における隣接して立設された２本をペアとする縦地単管（以下、本明細書では縦地パイプ材ともいう。）である。足場は、複数のペアをなす単管１（縦地パイプ１）と各単管１を水平方向で連結する横方向（水平方向）のパイプ材など（図示せず）により構成されるが、図１，図２ではこの足場構造のうちペアをなす２本の縦地パイプ材と最上位の水平な手摺りパイプ１Ａを示している。
【００２０】
図１と図２において、２は、左右の縦地パイプ材１，１の間における最上位部近辺に架設した上部ハンガーレール、３は前記パイプ材１，１の中間部位近辺に架設した中間ハンガーレール、４は前記単管１，１の最下位部近辺に架設した下部ハンガーレール、図２の５は前記ハンガーレール２，３，４に張設する養生シート６を上下方向でピンと張るための張り調節バーであり、前記の上部ハンガーレール２，中間ハンガーレール３，下部ハンガーレール４の各レールと張り調節バー５は、以下に説明する構成を夫々に具備することにより、先の出願に係る養生シートの設置装置を形成している。なお、養生シート６（以下、単にシート６ということもある）は、その外周縁上に、適宜定ピッチで当該シートの張設や接続のために使用されるハトメ６ａを備えたものである。
【００２１】
図３，図４において、上部ハンガーレール２は、レール部材２ａの左右（長さ方向）の両端近くに、手摺パイプ１Ａに結合される２つのクランプ部２１を後ろ向きに備えていると共に、当該レールの左右の両端部に、固定された側面から視て略Ｌ字状をなす２つ固定フック２２を備えている。
前記レール部材２ａの両端に設けた左右の固定フック２２，２２に挟まれたレール部材２ａの中間には、当該レール部材２ａを跨ぎ、かつ、このレール部材２ａの上で自由にスライドできるようになった断面が大略逆Ｕ状のランナ部材２３を複数個、図２の例では５個をスライド可能にマウントして備えている。
前記の各ランナ部材２３の前面には、上記の固定フック２２と同形態（側面視大略Ｌ状）のフック２３ａが設けられている。前記の各フック２２と２３ａは、養生シート６のハトメ６ａを掛止するためのフックである。
【００２２】
図３のクランプ部２１は、図５に例示したように、ハンガーレール２のレール部材２ａに後向きに設けられた短い取付アーム２１ａの後端部に、手摺パイプ１Ａを上下から抱くように挟む大略コ状に一体に形成された上下の挟持片２１ｂ，２１ｃを後向きに設けて形成されている。そして、前記の上下の挟持片２１ｂ，２１ｃには、中心軸を共有する長穴２１ｄ，２１ｅが形成されていて、両長穴２１ｄ，２１ｅにその上方から楔状の結合片２１ｆ（ウェッジ２１ｆということもある）を打込むことにより、大略コ状の挟持片２１ｂ，２１ｃが結合片２１ｆと一体になって手摺パイプ１Ａを囲む形で閉じられ、当該手摺パイプ１Ａをその外周面から強固に掴む態様で保持するように形成されている。
【００２３】
なお、前記クランプ部２１は、図示しないが、単管等のパイプ材に用いられているジョー開閉式のボルト締結式のクランプを用いることができる。また、前記クランプ部２１としては、楔緊締式足場の手摺や横架材（いずれもパイプ材）の両端に設けられている楔部材と足場支柱に設けられている楔受けによるクランプ構造を適用することも出来る。
【００２４】
上部ハンガーレール２においてレール部材２ａの両側端部に設けた固定フック２２，２２には、シート６の上辺における左右側端部のハトメ６ａが掛止され、また、レール部材２ａの中間部にスライド自在にマウントされた各ランナ部材２３の夫々のフック２３ａには前記シート６の両端のハトメ６ａの間に存在するハトメ６ａを掛止する態様を斜視図で示したものである。
【００２５】
先の出願のシート設置装置では、図１に例示したように上,下２枚のシート６枚の接合部位に中間ハンガーレール３が配置されるが、この中間ハンガーレール３は、上部ハンガーレール２と同様のレール部材２ａの２本を上下で重ねた態様で形成されたものである。
すなわち、中間ハンガーレール３は、まず、上部ハンガーレール２のレール部材２ａと同じレール部材３ａ，３ｂの２本を、これらのレール部材両端部に配設したレール結束金具３２，３２によって上下で重ねた状態に結束，結合されている。左右の前記結束金具３２，３２は、それら背面に、左右の縦地単管１，１にクランプされるクランプ部３１，３１を具備すると共に、該結束金具３２，３３の前面の上下に、下向きフック３２ａ，３２ａと上向きフック３２ｂ，３２ｂとを設けて形成されている。
【００２６】
ここで、前記結束金具３２は上下で平行なレール部材３ａと３ｂに外嵌するため、断面が略日の字状をなすように、中間にスペーサ部を介在させて上，下のレールの部材３ａ，３ｂに外嵌される上下２つの角穴部により形成され、該金具３２の前面に、下向きフック３２aと上向きフック３２ｂを上，下に並べて設け備えると共に、当該金具３２の背面にクランプ部３１を具備している。この、クランプ部３１は図４で説明したクランプ部２１と同一構造物であるが、その配置向きが９０度異なっている。
【００２７】
上記の中間ハンガーレール３においてその左右両端の結束金具３２，３２に挟まれた中間部には、上，下のレール部材３ａ,３ｂに、跨設態様でマウントされた上，下のランナ部材３３，３４が、レール部材３ａ，３ｂに対して夫々にスライド自在に跨設されている。ここで、二つのランナ部材３３と３４をレール部材３ａ，３ｂに対して一体化した状態での跨設態様とするか、分離した状態での跨設態様とするかは任意である。
【００２８】
上記の中間ハンガーレール３は、図１に示すように、足場で上位に位置したシート６の下辺のハトメ６ａを、上位のレール部材３ａの下向きフック３２ａに掛止する一方、下位に位置したシート６の上辺のハトメ６ａを下位のレール部材３ｂの上向きフック３２ｂに掛止することにより、上下方向に連設される２枚のシート６，６の隣接部分を支持する養生シート設置装置の一部として機能する。従って、例えば図１の上位のシート６の左端又は右端のハトメ６ａをフック３２ａから外せば、上位のシート６を、カーテンを開閉するようにハンガーレール２と３の上でスライドさせ、上位のシート６を足場に対して開閉することができる。
【００２９】
図１に例示した足場における最下部に架設する下部ハンガーレール４は、基本的構成が、先により説明した上部ハンガーレール２、中間ハンガーレール２と共通部が多く大きな相違点はないので、以下では上部ハンガーレール２，中間ハンガーレール３との共通点並びに相違点を中心に説明する。
【００３０】
図１において、下部ハンガーレール４は、左右の外側端面に、その外側面で回転できるように取付アーム４１ａを設け、この取付アーム４１ａを介してクランプ部４１が、前記レール部材４ａ中心軸に関してその位置を、上下乃至前後に変更できるようになっている。
前記クランプ部４１の構造は、図５で説明したクランプ部２１と同一構造であり、クランプ対象が直立した縦地パイプ材１，１であることにより、図４に示した当該クランプ部４１の向きが、９０度回転した姿勢である点で図７の中間ハンガーレール３のクランプ部３１と同じ向きであるが、図４のクランプ部２１とは向きが異なっている。
【００３１】
前記下部ハンガーレール４のレール部材４ａの左右両端部の前面には、固定フック４２，４２が設けられているが両固定フック４２，４２に挟まれたレール部材の中間部には、ランナ部材４３が、ここでは５個設けられている。
各ランナ部材４３は、先に述べた中間ハンガーレール３のレール部材３ａに設けたランナ部材３３と同様の構成である。すなわち、ランナ部材４３は断面略口状のランナ４３ａとこのランナ４３ａの上部に下向きに設けたフック４３ｂとから成る。なお、ランナ部材４３は、フック４３ａの後方部分がそのままランナ４３ａを貫通するように後方へ延長された形態で設けられている。
【００３２】
上記の下部ハンガーレール４は、図１に例示したように足場の縦地パイプ材１，１の下部に、左右のクランプ部４１，４１において結合されることにより架設され、シート６の下辺に並んだハトメ６ａのうちシート６の左右両端部のハトメ６ａを左右の固定フック４２に、中間部のハトメ６ａを各ランナ部材４３の各フック４３ｂに夫々に掛止することにより、養生シート６の下辺を足場に張設する。
【００３３】
下部ハンガーレール４に設けたクランプ部４１は、中間ガイドレール３のクランプ部３１と同じ構造の楔式クランプであるが、この下部ハンガーレール４のクランプ部４１はレール部材４ａの中心軸と平行な軸に関して前後に１８０度回転させて位置決めできるように設けられている。
【００３４】
すなわち、図４においてレール部材４ａの左右両端に設けてクランプ部４１は、レール部材４ａの後方に向けて設けられているが、この向きを、レール部材４ａに関し前向きに変更できるようになっている。クランプ部４１の回転のための構造は、クランプ部４１の平面略コ状の抱持片４１ｃと、該抱持片４１ｃをレール材部４ａの両端に結合する取付アーム４１ａ，４１ｂと、両アーム４１ａ，４１ｂの関節として作用するボルト部４１ｃから成り、該ボルト部４１ｃを緩めることによって前記抱持片４１ｃを１８０度回転させて位置決めできるようになっている。なお、クランプ部４１がボルト部４１ｃの自律的な緩み等により勝手に回転しないように、ピン等によるストップ部材を取付アーム４１ｂに設けることがある。
【００３５】
クランプ部４１の位置を、レール部材４ａに関して前後に位置変更できるようにしたのは、下部ハンガーレール４が図１の使用態様（クランプ部４１がレール部材４ａにより後方（向こう側）に位置すると、図２の使用態様（クランプ部４１がレール部４ａにより手前に位置する）に、同じ１本のハンガーレール４で対応するためである。
【００３６】
図７は、シート６の張り具合を調節するため、下部ハンガーレール４と併用する張り調節レール５（以下、固定レール５という）を説明するための斜視図であり、この固定レール５と下部ハンガーレール４の協働作用させる使用態様は、図２に示されている。
【００３７】
固定レール５は、図７に例示したように上方から降ろされるシート６の下部側を、このバー５の下側を回して上向きにターンさせる部材である。ターンして上向きになった当該シート６は上向きになったシート下辺のハトメ６ａがこの固定レール５の上方に架設されている下部ハンガーレール４の上向きフック４２，４３ｂに掛止される。このとき、この固定レール５、又は、下部ハンガーレール４を縦地パイプ材１，１の上で下方、又は上方へ動かすことにより、このシート６を、その上下方向での張り状態のテンションを調整することができる。すなわち固定レール５はシート６をピンと張るための部材でもある。この固定レール５は次の構成を具備している。
【００３８】
図７の固定レールは、一例として丸棒やパイプ材をバー部材５ａに形成し、このバー部材５ａの左右端の外面に、このバー部材５ａの軸上で回転可能にした取付アーム５１ａを備えている。該取付アーム５１ａは、先端側にクランプ部５１を具備するとともに、このアーム５１ａの下部に、図示しない緊張器（テンショナー）の緊張用フックを係止するための穴５１ｂを備えている断面略Ｌ状の連結部５２を取付アーム５１ａと一体に形成している。なお、固定レール５のクランプ部５１は、先に説明した各クランプ部２１，３１，４１と同じ構造のものである。５１ｃはクランプ部５１の楔部材である。
【００３９】
先の発明は以上に述べた通り、足場を形成している縦地単管のような平行に立設した縦地パイプ材１，１に、最上位部には上部ハンガーレール２を、最下位部には下部ハンガーレール４か又は該レール４と固定レール５を、また、必要があれば縦地パイプ材１，１の高さ方向の中間部に、中間ハンガーレール３を架設し、前記の各レールのフックにシートのハトメを掛止してこの足場に養生シートを張設している。このため、夫々に構成が異なる上下のハンガーレール２，４と必要に応じて用いる中間ハンガーレール３や固定レール５によってシート張設装置を形成していた。
この装置は各ハンガーレール２〜４のフックに養生シート６のハトメ６ａを掛止することにより、養生シート６を足場にピンと張って設けることができ、また、そのように張設した前記シート６を、その張りを緩めてハンガーレール２〜４の上をスライドする各ランナ部材２３，３３，３４，４３の作用で謂わばカーテンのように自由に開閉できるという画期的なものであったが、未だに解決すべき問題点もあった。
【００４０】
そこで、先の発明の養生シート張設装置の上記問題点を解決すべく完成されたのが本発明である。本発明による養生シート開閉・緊張装置の実施の形態例について図８〜図１７を参照して以下に説明する。
すなわち、本発明では、先の発明において、上部ハンガーレール２、下部ハンガーレール４、中間ハンガーレール３として個別の構造で形成されていた上記三種類のハンガーレール２，３，４を共通の構造、つまり単一構造のレールとして構成した。本発明では、この共通化した単一仕様のレールを、テンションレール１００と呼ぶ。次に本発明のテンションレール１００の構成について図８〜図１２により説明する。
【００４１】
図８のテンションレール１００は、先の発明のレール部材２と同等のレール部材１００ａと、該レール部材１００ａの左右両端に位置を固定して設けた固定フック１００ｂ，１００ｃと、前記レール部材１００ａにおいて前記固定フック１００ｂ，１００ｃに挟まれた中間部に当該レール部材１００ａにスライド自在にマウント（跨設）した複数のランナ部材１００ｄと、各ランナ部材１００ｄの前面において、その上，下部に設けた上位のフックは下向きで、および下位のフックは上向きで設けたフック１００ｅ，１００ｆを備えていると共に、当該レール部材１００ａの左右外側端面に支持された左右のクランプ部１０１と１０２を具備している（図８，図１０参照）。なお、左右の固定フック１００ｂ，１００ｃは、ランナ部材１００ｄの上，下向きのフック１００ｅ，１００ｆと同様に、上向きと下向きのペアをなすフックで形成されている。
【００４２】
左右のクランプ部１０１，１０２は、左右で対称な同一形態のものであるから、ここではクランプ部１０１についての図９〜図１２により説明する。
レール部材１００ａの両端には、当該レール部材１００ａの軸に関して正立又は倒立した姿勢のブラケット部材１０１ａ，１０２ａが設けられている。このブラケット部材１０１ａ，１０２ａの先端部には、平面視略Ｕ状のクランプ部材１０１ｂ，１０２ｂの背面に設けられた支持アーム部１０１ｃ，１０２ｃが結合ボルト１０１ｄ，１０２ｄによって緊締・弛緩自在に結合されている（図９〜図１２参照）。
【００４３】
図１１、図１２に示すように、略Ｕ状のクランプ部材１０１ｂ（１０２ｂ）の先端側には、楔部材１０１ｅ（１０２）を打込むための通し孔１０１ｆ（１０２ｆ）が形成されている。また、楔部材１０１ｅ（１０２ｅ）が打込まれる孔１０１ｆ（１０２ｆ）に対して、打込まれる楔部材１０１ｅ（１０２ｅ）を受け入れて抜止めストッパとして作用する穴１０１ｇ（１０２ｇ）を形成したストッパ片１０１ｈ（１０２ｈ）がクランプ部材１０１ｂ（１０２ｂ）の一片側に軸１０１ｉにより定位置に枢着して設けられている。
上記ストッパ片１０１ｈは、軸１０１ｊによって定位置旋回構造で設けたが、図１３に示すストッパ片１０１ｈの別例は、ストッパ片１０１ｈに長穴１０１ｋを設け、該長穴１０１ｋを軸１０１ｊにより止めて該ストッパ片１０１ｈを長穴１０１ｋに沿ってスライドと旋回ができるようにした。これにより前記例の穴１０１ｇはその穴径と同幅の切欠き（スリット）１０１ｍに形成した。この構成によりストッパ片１０１ｈの別例は、楔部材１０１ｅの打込み、抜去においてストッパ片１０１ｈの起立部１０１ｎを前進側又は後退側にハンマー等で叩いてスリット１０１ｍを楔部材１０１ｅの先端部に係合させたりその係合を解いたりするようにした。
なお、クランプ部材１０２については図示しないが、上記クランプ部１０１と同じ構造であるから図１１におけるアルファベット符号の前の数字が１０２になる（図１１参照）。
【００４４】
上記のクランプ部材１０１（１０２）は、図９（ａ）（ｂ）に例示したように、レール部材１００ａの軸に関して今の姿勢（図９（ａ）の位置）から１８０度回転（図９（ｂ）の位置）させることができる機能が付与されている。
この機能を付与する理由は次の通りである。すなわち、クランプ部１０１（１０２）は、通常、レール部材１００ａを縦地パイプ材1に対して前方（足場の前方）に位置づけて架設するため、そのレール部材１００ａの後面側に位置している（図８、図１４、図１５参照）。これに対して前方位置を選択するのは、固定レール１０３を使用して設置する養生シートに張りを与える場合（図１５参照）、レール部材１００ａを縦地パイプ材１の後面側に位置させるためである。
【００４５】
次に、上記の位置選択のための構造例について説明する。
レール部材１００ａの左右外側端面に設けたブラケット部材１０１ａ（１０２ａ）と、クランプ部材１０１ｂ（１０２ｂ）の背面に設けられている支持アーム部１０１ｃ（１０２ｃ）とを結合しているボルト１０１ｄ（１０２ｄ）を緩めると、図９（ａ）に示すようにブラケット部１０１全体を該ボルト１０１ｄの上で引抜き加減に変位（スライド）させることができるように形成している。
【００４６】
この状態で、スライドさせたブラケット部１０１を、結合ボルト１０１ｄ（１０２ｄ）を中心に１８０度回転（図８の回転矢印を参照）させてブラケット部１０１（１０２ｄ）のレール部材１００ａに対する位置を１８０度回転させて変更することができる（図９（ｂ）参照）。位置を変えたら緩めていたボルト１０１ｄ（１０２ｄ）を再び締め込んでその変更位置を固定する。
【００４７】
上記のブラケット部１０１（１０２）の位置変更（１８０度回転、図９参照）において、結合ボルト１０１ｄ（１０２ｄ）を緩めてブラケット部１０１を該ボルト１０１ｄの上を少しスライドさせるのは、ブラケット部材１０１ｂの背面に設けた支持アーム部１０１ｃにブラケット部材１０１ｂの自律回転を阻止する阻止ブロック１０１ｊが設けられているからである。
すなわち、養生シートを張って使用中のブラケット部１０１（１０２）に、万一、前記結合ボルト１０１ｄ（１０２ｄ）の緩みが生じると、ブラケット部１０１（１０２）に対してレール部１００ａが動いてしまい、養生シートに弛みが生じて不都合である。そこでブラケット部１０１（１０２）の勝手な回転を阻止する阻止ブロック１０１ｊ（１０２ｊ）を設け、ブラケット部１０１の位置を変更する回転操作時には、この阻止ブロック１０１ｊ（１０２ｊ）を逃げて、ブラケット部１０１の回転を確保するようにしたのである。
【００４８】
上述したように、本発明のテンションレール１００は、両端部に設けたクランプ部１０１、１０２、すなわち、仮設足場の縦地単管１、１（縦地パイプ材１、１）にレール部材１００ａを架設するためのクランプ部１０１、１０２を設け、かつ、そのクランプ部１０１、１０２を、レール部材１００ａに対して１８０度回転させてその位置を固定できるようにしたことにより、足場の最上位部、中間部、最下位部のどの位置においても、同じテンションレール１００を縦地単管１に取付ければ足りることになった。
ここで、本発明テンションレール１００の左右に設けたクランプ部１０１、１０２は、レール部材１００ａの軸に関して上下対称な位置関係で設けられている。左右のクランプ部１０１と１０２をレール部材１００ａに関し上下対称な位置関係に設定したのは、足場の左右方向に同じ高さでテンションレール１００を連続的に架設するとき、同じ縦地パイプ材１の上で隣のレール部材１００ａのクランプ部１０１と１０２とが干渉することが無いようにするためである。
【００４９】
また、上記テンションレール１００は、レール部材１００ａの左右両端に設けた固定フック１００ｂ、１００ｃも中間部のレール上をスライドできるランナ部材１００ｄに設けたフック１００ｅ、１００ｆも、いずれも上向きフック１００ｆと下向きフック１００ｅを上、下で対向配置すると共に、両フックの縦向き片を、上下のフック１００ｅ、１００ｆとも斜めの角度を付けて略平行姿勢で設けたことにより、養生シート６の上辺、下辺、並びに、該養生シート６の上下接合部の下辺と上辺のいずれの辺のハトメ６ａであっても、すべて上記の各フック１００ｂ、１００ｃと１００ｅ、１００ｆに互いの操作が干渉することなく係止することができる（図１０、図１４、図１５参照）。
【００５０】
さらに、本発明のテンションレール１００は、図１６に示すように、縦地パイプ材１、１の下部に固定レール１０３を設けると共に、該固定レール１０３の上方に下部テンションレール１００を設けて、上方から垂下する養生シート６を前記固定レール１０３を通して上方へ向けてターンさせ、ターンさせた当該シート６の下端辺の各ハトメ６ａを、前記テンションレール１００の各フック１００ｂ、１００ｃ、及び同１００ｅ、１００ｆに掛止させることにより、仮囲いシートに出入口を形成するような養生シート６の張り方に使用できる。
【００５１】
図１６で用いた固定レール１０３は、一例として図１７に示す構成を備えたものである。なお、図１６の固定レール１０３の構成は図２に示した先の発明における固定レール５と略同じ構成である。図１６、１７において、１０３ａはレール部材、１０３ｂ、１０３ｃはレール部材１０３の両端に設けた取付アームで、そのアーム１０３ｂ、１０３ｃの後方（図１７の右方）に先に述べたクランプ部１０１，１０２と同じ構成のクランプ部１０４、１０５を一体に具備している。クランプ部１０４，１０５は前記クランプ部１０１，１０２と同じ構造であるから説明は省く。前記取付アーム１０３ｂ，１０３ｃの前方（図１７の手前側）には、断面略Ｌ状の連結部１０３ｄ、１０３ｅが一体に設けられており、当該取付アーム１０３ｂ，１０３ｃは前記連結部１０３ｄ、１０３ｅの立壁においてレール部材１０３ａの左右の外側端面に軸支されている。１０３ｆ，１０３ｇは、前記連結部１０３ｄ，１０３ｅの底壁に設けた図示しない緊張器の下方引張りフックを止める掛止孔である。緊張器は、養生シートに引っ張り力を加えるための巻上げ機等を利用した機器である。
【００５２】
本発明のテンションレール１００と固定レール１０３は、図示しないがレール部材１００ａ，１０３ａの長さが、足場ピッチ（縦地単管１、１の距離）によって、異なる長さのレール部材１００ａ，１０３ａが予め用意される。例えば、足場ピッチ１８２９ｍｍ、１５２４ｍｍ、１２１９ｍｍ、９１４ｍｍ、６１０ｍｍのいずれかの縦地単管１、１に架設するため、レール部材１００ａ，１０３ａの長さが、前記各ピッチに合せて調整されたものが予め用意されるのである。また、使用するレール部材１００ａ，１０３ａの長さによって、レール部材に跨設させるフックを備えたランナ部材の個数も、例えば５個〜１個の間で予め調整されている。
【００５３】
このように本発明では、レール部材の長さが複数種類あるテンションレール１００と固定レール１０３が用意されるから、足場ピッチが小さくなっていることが多い足場の入隅部であっても、本発明のテンションレール１００と固定レール１０３を用いて養生シートを張設することができる。
図１８は入隅用に長さを短めに整えた本発明テンションレール１００と固定レール１０３と通常長さのテンションレール１００と固定レール１０３を用いて張設した養生シート６の設置例の要部の斜視図である。
【００５４】
本発明は以上の通りであって、養生シートを足場に張設するために縦地単管に架設される部品を、足場の高さ方向どの部位（最上位、中間位、最下位）であっても架設できる構造を備えた単一構造のテンションレールにしたから、養生シートの張設に使用する部品の種類を共通化して合理化できるのみならず、当該レールの架設操作も養生シートの掛止操作も足場の位置に関係なく単一操作であるから、きわめて効率のよい養生シート張設を実現できる。
【００５５】
また、縦地単管に架設したテンションレールは、シートをピンと張った状態で前記単管に強固にクランプでき、さらに前記テンションレールには、そのレールの上でスライドできるランナ部材を設け、このランナ部材に設けたフックに養生シートのハトメを掛止して当該シートを張設しているから、両端の固定フックからハトメを外せばそのシートを前記レール上で恰もカーテンのように容易に開閉することができる。
以上の説明において縦地単管や縦地パイプ材には足場の縦地を形成するものであれば本発明の縦地パイプ材には管やパイプ材以外の材料を含むものとする。
【００５６】
よって本発明は養生シートを足場に開閉自在および緊張状態に張設する装置としてきわめて有用である。
【符号の説明】
【００５７】
１  縦地パイプ材（縦地単管）
６  養生シート
６ａ  ハトメ
１００  テンションレール
１００ａ  レール部材
１００ｂ、１００ｃ  固定フック
１００ｄ  ランナ部材
１００ｅ  下向きフック
１００ｆ  上向きフック
１０１、１０２  左右のクランプ部
１０１ａ、１０２ａ  正立（倒立）ブラケット部材
１０１ｂ、１０２ｂ  クランプ部材
１０１ｃ、１０２ｃ  支持アーム部
１０１ｄ、１０２ｄ  結合ボルト
１０１ｅ、１０２ｅ  楔部材
１０１ｆ、１０２ｆ  通し孔
１０１ｇ、１０２ｇ  ストッパ穴
１０１ｈ、１０２ｈ  ストッパ片
１０１ｉ、１０２ｉ  ストッパ片の軸
１０１ｊ、１０２ｊ  阻止ブロック
１０３  固定レール
１０４、１０５  固定レールのクランプ部
【図１】
0006012677.tif 000002
【図２】
0006012677.tif 000003
【図３】
0006012677.tif 000004
【図４】
0006012677.tif 000005
【図５】
0006012677.tif 000006
【図６】
0006012677.tif 000007
【図７】
0006012677.tif 000008
【図８】
0006012677.tif 000009
【図９】
0006012677.tif 000010
【図１０】
0006012677.tif 000011
【図１１】
0006012677.tif 000012
【図１２】
0006012677.tif 000013
【図１３】
0006012677.tif 000014
【図１４】
0006012677.tif 000015
【図１５】
0006012677.tif 000016
【図１６】
0006012677.tif 000017
【図１７】
0006012677.tif 000018
【図１８】
0006012677.tif 000019